(57)【特許請求の範囲】
【請求項１】
画像表示面を任意方向に向けることができる可動型表示器と、
その画像表示面の向きと画像データとを対応付けて記憶する手段と、
その画像表示面の向きを検知する手段と、
その検知された画像表示面の向きに対応付けて記憶された画像データを、その画像データに対応する画像を表示できるように、その可動型表示器に出力する手段と、
変更信号の出力手段と、
その画像データと変更信号の出力時における画像表示面の向きの変化に対応して、その出力中の画像データに対応付けられて記憶される画像表示面の向きを変化させる手段と、
基準表示器と、
前記可動型表示器の画像表示面の向きが、予め定めた基準方向に対してなす角度が一定角度以内か否かを判断する手段とを備え、
その可動型表示器の画像表示面の向きが基準方向に対してなす角度が一定角度以内である時、その基準方向に対してなす角度が一定角度以内である画像表示面の向きに対応付けられて記憶される画像データは、前記変更信号の出力解除中は前記基準表示器に出力され、前記変更信号の出力中は前記可動型表示器に出力される表示システム。
【請求項２】
その可動型表示器にコンバイナが、その基準表示器の画像表示光を透過させることで観察者の目に案内可能、且つ、その可動型表示器の画像表示光を光路変更することで観察者の目に案内可能に設けられている請求項１に記載の表示システム。
【請求項３】
その可動型表示器を観察者の頭部に装着する手段を備える請求項１または２に記載の表示システム。
【発明の詳細な説明】
【０００１】
【発明の属する技術分野】
本発明は、例えばコンピュータにより複数のタスクを処理する際に、各タスクに対応する画像を同時に表示するのに適する表示システムに関する。
【０００２】
【従来の技術】
マルチタスクが可能なコンピュータにおいて複数のプログラムを実行する際に、各プログラムに対応する複数の作業用画像を、あたかも机の上に書類を広げるように画面に表示することが行われている。
【０００３】
例えば、ワードプロセッサ用プログラムにより作成したコンテンツと描画用プログラムにより作成したコンテンツとを合成するような場合、両方の作業用画像を同時に画面に表示することが望まれる。このような場合、表示器の画面が小さいと視認性が悪いことから、大きな画面の表示器が用いられている。
【０００４】
【発明が解決しようとする課題】
しかし、大きな画面の表示器を設置するには大きなスペースが必要である。また、表示器の画面が小さいノートブック型コンピュータ等の形態型コンピュータでは、同時の多数の作業用画像を表示することは困難である。そのため、狭い空間や屋外での作業が制限されていた。
【０００５】
本発明は、上記問題を解決することのできる表示システムを提供することを目的とする。
【０００６】
【課題を解決するための手段】
本発明の表示システムは、画像表示面を任意方向に向けることができる可動型表示器と、その画像表示面の向きと画像データとを対応付けて記憶する手段と、その画像表示面の向きを検知する手段と、その検知された画像表示面の向きに対応付けて記憶された画像データを、その画像データに対応する画像を表示できるように、その可動型表示器に出力する手段と、変更信号の出力手段と、その画像データと変更信号の出力時における画像表示面の向きの変化に対応して、その出力中の画像データに対応付けられて記憶される画像表示面の向きを変化させる手段と、基準表示器と、前記可動型表示器の画像表示面の向きが、予め定めた基準方向に対してなす角度が一定角度以内か否かを判断する手段とを備え、その可動型表示器の画像表示面の向きが基準方向に対してなす角度が一定角度以内である時、その基準方向に対してなす角度が一定角度以内である画像表示面の向きに対応付けられて記憶される画像データは、前記変更信号の出力解除中は前記基準表示器に出力され、前記変更信号の出力中は前記可動型表示器に出力される。
本発明の構成によれば、一方向を向く画像表示面に画像を表示している時に、変更信号を出力したままで画像表示面の向きを変化させると、その表示されている画像に対応する画像データに対応付けて記憶される画像表示面の向きも同様に変化する。これにより、その画像の表示位置は、可動型表示器の画像表示面の向きの変化に対応して変位する。しかる後に、その変更信号の出力を解除すると、その画像データは、その変更信号の出力解除時における画像表示面の向きに対応付けられて記憶される。その変更信号を出力しなければ、その画像データに対応付けられて記憶される画像表示面の向きにおいてのみ、その画像データに対応する画像を視認できる。これにより、任意方向を向く画像表示面に画像を表示できる。また、その画像表示面が一方向を向いている時と、別の方向を向いている時とで、互いに異なる画像を表示できる。
また、基準表示器に画像を表示している時に、可動型表示器の画像表示面の向きが基準方向に対してなす角度が一定角度以内になるように位置決めし、変更信号を出力すると、その基準表示器により表示されていた画像は可動型表示器により表示され、その基準表示器による画像の表示は解除される。
次に、その変更信号を出力したままで、可動型表示器の画像表示面の向きが基準方向に対してなす角度が一定角度を超えるように変化させると、その可動型表示器により表示されている画像に対応する画像データに対応付けて記憶される画像表示面の向きも同様に変化する。しかる後に、その変更信号の出力を解除すると、その画像データは、その変更信号の出力解除時における画像表示面の向きに対応付けられて記憶される。これにより、基準表示器に別の画像を表示することが可能になる。
【０００８】
その可動型表示器にコンバイナが、その基準表示器の画像表示光を透過させることで観察者の目に案内可能、且つ、その可動型表示器の画像表示光を光路変更することで観察者の目に案内可能に設けられているのが好ましい。
そのコンバイナを透過する基準表示器の画像表示光を観察者の目に案内することで、その可動型表示器の画像表示面の向きが基準方向に対してなす角度が一定角度以内になるように容易に位置決めできる。
【０００９】
その可動型表示器を観察者の頭部に装着する手段を備えるのが好ましい。
これにより、観察者は頭部を動かすだけで画像の表示方向を移動させることができる。
【００１０】
【発明の実施の形態】
以下、図１、図２を参照して本発明の第１実施形態を説明する。
【００１１】
図に示す画像表示システム１は、画像データを出力するコンピュータ２と、基準表示器３と、可動型表示器４とを備える。
【００１２】
そのコンピュータ２は、画像データを含む複数のプログラムを記憶するメモリを内蔵すると共に、キーボード等の入力装置５に接続され、その入力装置５からの入力信号に応じて複数のプログラムを同時に実行でき、その実行により各プログラムに含まれる画像データを出力する。
【００１３】
その基準表示器３は、例えばブラウン管式ディスプレイや液晶ディスプレイにより構成でき、一定位置に配置できる。
【００１４】
その可動型表示器４は、観察者６により片手で携帯可能とされ、画像表示面を任意方向に向けることが可能とされている。
【００１５】
その可動型表示器４は、画像表示光を出射する表示ユニット１０と、基板１１と、その表示ユニット１０と基板１１とを覆うケース１２と、コンバイナ１３と、そのケース１２とコンバイナ１３とを連結するアーム１４とを有する。
【００１６】
その表示ユニット１０は、本実施形態ではバックライト１０ａと液晶パネル１０ｂにより構成されるが、特に限定されず、例えばＣＲＴディスプレイ等により構成できる。そのコンバイナ１３は、その可動型表示器４の画像表示光を反射あるいは回折により光路変更することで観察者６の目に案内すると共に、前方からの光を透過するハーフミラーやホログラム素子等により構成される。これにより、その可動型表示器４を側頭部に配置することで、観察者６は可動型表示器４の画像表示光により形成される画像と、コンバイナ１３の前方外景領域の双方を視認できる。
【００１７】
その表示器用基板１１に、液晶パネル１０ｂのドライバー１１ａと、その可動型表示器４の画像表示面の向きを検知する方位センサ１１ｂと、変更スイッチ１１ｃと、ＯＮ‐ＯＦＦスイッチ１１ｄとが設けられている。そのドライバー１１ａ、方位センサ１１ｂ、及び各スイッチ１１ｃ、１１ｄは、配線２０、コネクタ２１、プラグ２２を介して、接続用基板２３上に設けられた信号処理回路２３ａに接続される。
【００１８】
その接続用基板２３に、その信号処理回路２３ａに接続されるメモリ２３ｂとインターフェイス２３ｃが設けられている。その信号処理回路２３ａは、そのインターフェイス２３ｃ、コネクタ２４を介して上記コンピュータ２のバスラインに接続される。そのコンピュータ２から出力される上記各プログラムに含まれる画像データは、そのインターフェイス２３ｃ、信号処理回路２３ａを介してメモリ２３ｂに、上記可動型表示器４の画像表示面の向きに対応付けられて記憶される。そのメモリ２３ｂに記憶される画像データは、当初は後述の基準方向に対応付けられる。
【００１９】
本実施形態では、その可動型表示器４の画像表示面の中心の法線方向と基準表示器３の画面の中心の法線方向とが一致する時、可動型表示器４の画像表示面の向きは基準方向とされる。その方位センサ１１ｂは、その可動型表示器４の画像表示面の向きを、その可動型表示器４の画像表示面の中心の法線方向が基準方向に対してなす角度に対応する検知信号として出力する。
その方位センサ１１ｂの種類は特に限定されず、例えば、振動ジャイロ装置、地磁気センサ、加速度センサや、その可動型表示器４に取り付けられるコイルと、そのコイル周囲の磁場発生手段とを有し、そのコイルの方向が発生磁場内で変化することによる電流変化から向きを検出するもの等を用いることができる。
【００２０】
その方位センサ１１ｂから出力される検知信号は、上記信号処理回路２３ａ、インターフェイス２３ｃを介してコンピュータ２に入力される。そのコンピュータ２は、その可動型表示器４の画像表示面の向きが、上記基準方向に対してなす角度が一定角度以内か否かを判断する。その一定角度は予め設定されてコンピュータ２に記憶される。例えば、上記コンバイナ１３を通して基準表示器３の画面を視認できる時、その可動型表示器４の画像表示面の向きが基準方向に対してなす角度は一定角度以内であるとされる。
【００２１】
上記変更スイッチ１１ｄは、本実施形態では常開の押しボタンスイッチとされ、上記ＯＮ‐ＯＦＦスイッチ１１ｄの接点を閉じた状態で、この変更スイッチ１１ｃの接点を閉じることで、上記信号処理回路２３ａは変更信号を出力する。その変更信号はインターフェイス２３ｃを介してコンピュータ２に入力される。そのＯＮ‐ＯＦＦスイッチ１１ｄの接点を開いた状態では、その変更信号は出力されない。
【００２２】
そのコンピュータ２は、上記基準方向に対してなす角度が一定角度以内の画像表示面の向きに対応付けられて記憶される画像データを、その方位センサ１１ｂにより検知された可動型表示器４の画像表示面の向きが基準方向に対してなす角度が一定角度以内である時は、その変更信号の出力解除中は基準表示器３に出力し、その変更信号の出力中は可動型表示器４に出力する。すなわち、コンピュータ２は、その変更信号の出力中は、基準方向に対してなす角度が一定角度以内の画像表示面の向きに対応付けられて記憶される画像データの基準表示器３への出力を解除すると共に、その画像データの可動型表示器４への出力命令を上記信号処理回路２３ａに出力する。その信号処理回路２３ａは、その画像データの出力命令により、上記メモリ２３ｂに記憶された当該画像データを可動型表示器４のドライバー１１ａに出力する。
【００２３】
また、そのコンピュータ２は、上記基準方向に対してなす角度が一定角度を超える画像表示面の向きに対応付けられて記憶される画像データを、その方位センサ１１ｂにより検知された可動型表示器４の画像表示面の向きが基準方向に対してなす角度が一定角度を超え、そのＯＮ‐ＯＦＦスイッチ１１ｄの接点が閉じられている時は、その可動型表示器４に出力する。そのＯＮ‐ＯＦＦスイッチ１１ｄの接点を開いた状態では、画像データは可動型表示器４に出力されない。
【００２４】
その基準表示器３は、画像データが送られると、その画像データに対応する画像を表示する。その基準表示器３の画面に表示される画像は、その基準表示器３の画像表示光を上記コンバイナ１３が透過させて観察者６の目に案内することで、観察者６に視認される。
【００２５】
その可動型表示器４は、画像データが送られると、その画像データに対応する画像を液晶パネル１０ｂにより表示する。この可動型表示器４により表示される画像は、その画像の表示光を上記コンバイナ１３が光路変更させて観察者６の目に案内することで、観察者６に視認される。
【００２６】
そのコンピュータ２は、その画像データと変更信号の出力時における可動型表示器４の画像表示面の向きの変化に対応して、その可動型表示器４に出力中の画像データに対応付けられてメモリ２３ｂに記憶される画像表示面の向きを変化させる。これにより、その変更信号を出力させたままで可動型表示器４の画像表示面の向きを変化させ、しかる後に変更信号の出力を解除すると、その画像データは、その出力解除時における画像表示面の向きに対応付けられて記憶される。
【００２７】
上記構成によれば、基準表示器３に画像を表示している時に、図１に示すように可動型表示器４のコンバイナ１３を観察者６の目の前方に配置し、その可動型表示器４の画像表示面の向きが基準方向に対してなす角度が一定角度以内になるように位置決めし、ＯＮ‐ＯＦＦスイッチ１１ｄの接点を閉じ、変更スイッチ１１ｃを押して変更信号を出力すると、その基準表示器３により表示されていた画像は可動型表示器４により表示され、その基準表示器３による画像の表示は解除される。この際、可動型表示器４のコンバイナ１３を透過する基準表示器３の画像表示光を観察者６の目に案内することができるので、その可動型表示器４の画像表示面の向きが基準方向に対してなす角度が一定角度以内になるように容易に位置決めできる。
【００２８】
次に、その変更信号を出力したままで、可動型表示器４の画像表示面の向きを、例えばコンバイナ１３を図１において破線で示すように上方に変位させることで、基準方向に対してなす角度が一定角度を超えるように変化させると、その可動型表示器４により表示されている画像に対応する画像データに対応付けられて記憶される画像表示面の向きも同様に変化する。これにより、その画像の表示位置が、例えば図１において破線３０で示すように、可動型表示器４の画像表示面の向きの変化に対応するように変位し、観察者６は空間に貼り付けられたような画像を視認できる。しかる後に、その変更信号の出力を解除すると、その画像データは、その変更信号の出力解除時における画像表示面の向きに対応付けられて記憶される。これによって、基準表示器３に別の画像を表示することが可能になる。
【００２９】
また、その可動型表示器４の画像表示面の向きが基準方向に対してなす角度が一定角度を超え、一方向を向く可動型表示器４の画像表示面に画像を表示している時に、変更信号を出力したままで画像表示面の向きを変化させると、その表示されている画像に対応する画像データに対応付けて記憶される画像表示面の向きも同様に変化する。これにより、その画像の表示位置は、例えば図１において破線３０で示す位置から破線３１で示す位置に、可動型表示器４の画像表示面の向きの変化に対応するように変位する。しかる後に、その変更信号の出力を解除すると、その画像データは、その変更信号の出力解除時における画像表示面の向きに対応付けられて記憶される。その変更信号を出力しなければ、その画像データに対応付けられて記憶される画像表示面の向きにおいてのみ、その画像データに対応する画像を視認できる。これにより、任意方向を向く画像表示面に画像を表示できる。また、その画像表示面が一方向を向いている時と、別の方向を向いている時とで、互いに異なる画像を表示でき、観察者６は空間に貼り付けられたような各画像を視認できる。例えば、画像表示面が一方向を向く時はワードプロセッサ用プログラムに対応する画像を視認し、別方向を向く時は描画用プログラムに対応する画像を視認することが可能になり、観察者６は自分の操作したい対象のプログラムに対応する画像を視認しながら作業を行い、各画像の内容を、対応するプログラムの進行状況に合わせて変化させることができる。
【００３０】
また、その可動型表示器４の画像表示面の向きが基準方向に対してなす角度が一定角度を超え、さらに別の一方向を向く可動型表示器４の画像表示面に画像を表示している時に、変更信号を出力したままで画像表示面の向きを基準方向に対してなす角度が一定角度以内になるように変化させると、その表示されている画像に対応する画像データに対応付けて記憶される画像表示面の向きも同様に変化する。これにより、その画像は、例えば図１において破線３２で示す位置から基準表示器３の画像表示面と重なる位置に、可動型表示器４の画像表示面の向きの変化に対応して変位する。しかる後に、その変更信号の出力を解除すると、その画像データは、その変更信号の出力解除時における画像表示面の向きに対応付けられて記憶され、その画像データに対応する画像は基準表示器３に表示され、可動型表示器４による画像の表示は解除される。これにより、あたかも机の上に書類を広げるのと同時に、机の周囲の壁等に書類をピン等で貼り付けるのと同様の作業環境を実現できる。
【００３１】
図３、図４は本発明の第２実施形態を示す。
【００３２】
図に示す画像表示システム１０１は、画像データを出力するコンピュータ１０２と、可動型表示器１０４とを備える。
【００３３】
そのコンピュータ１０２は、画像データを含む複数のプログラムを記憶するメモリを内蔵すると共に、キーボード等の入力装置１０５に接続され、その入力装置１０５からの入力信号に応じて複数のプログラムを同時に実行可能でき、その実行により各プログラムに含まれる画像データを出力する。
【００３４】
その可動型表示器１０４は、図３に示すように、観察者６の頭部に保持体１０３を介して着脱可能に装着され、観察者６の頭部の動きにより、その画像表示面を任意方向に向けることが可能とされている。なお、その保持体１０３は、本実施形態ではバンド状とされているが、可動型表示器１０４を観察者６の頭部に装着できれば構成は特に限定されず、例えばヘルメット状であってもよい。
【００３５】
その可動型表示器１０４は、画像表示光を出射する表示ユニット１１０と、基板１１１と、その表示ユニット１１０および基板１１１を覆うケース１１２とを有する。
【００３６】
その表示ユニット１１０は、本実施形態では、観察者６の両眼に対向する一対のバックライト１１０ａと、一対の液晶パネル１１０ｂと、一対のレンズ系１１０ｃとにより構成されるが、その構成は特に限定されず、例えばバックライト１１０ａと液晶パネル１１０ｂに代えてＣＲＴディスプレイを用いてもよい。各液晶パネル１１０ｂから出射される画像表示光が各レンズ系１１０ｃを介して観察者６の両眼に至る。これにより、各液晶パネル１１０ｂの画面が観察者６の前方に画像として投影される。なお、観察者６が、可動型表示器１０４の画像表示光により形成される画像と、前方領域の双方を視認できるように、その表示ユニットを観察者６の頭部の側方に配置し、観察者６の前方に配置されるコンバイナと、このコンバイナに表示ユニットから出射される画像表示光を導く光学系とを設けてもよい。また、観察者６の片眼にのみ画像表示光を導く表示ユニットを用いてもよい。
【００３７】
その表示器用基板１１１に、各液晶パネル１１０ｂを駆動する一対のドライバー１１１ａと、その可動型表示器１０４の画像表示面の向きを検知する方位センサ１１１ｂと、変更スイッチ１１１ｃと、ＯＮ‐ＯＦＦスイッチ１１１ｄとが設けられている。そのドライバー１１１ａ、方位センサ１１１ｂ、及び各スイッチ１１１ｃ、１１１ｄは、配線１２０、コネクタ１２１、プラグ１２２を介して、接続用基板１２３上に設けられた信号処理回路１２３ａに接続されている。
【００３８】
その接続用基板１２３に、その信号処理回路１２３ａに接続されるメモリ１２３ｂとインターフェイス１２３ｃが設けられている。その信号処理回路１２３ａは、そのインターフェイス１２３ｃ、コネクタ１２４を介して上記コンピュータ１０２のバスラインに接続される。そのコンピュータ１０２から出力される上記各プログラムに含まれる画像データは、そのインターフェイス１２３ｃ、信号処理回路１２３ａを介してメモリ１２３ｂに、上記可動型表示器１０４の画像表示面の向きに対応付けられて記憶される。そのメモリ１２３ｂに記憶される画像データは、当初は後述の基準方向に対応付けられる。
【００３９】
本実施形態では、上記ＯＮ‐ＯＦＦスイッチ１１１ｄの接点が開き状態から閉じ状態になった時の可動型表示器１０４の画像表示面の向きが基準方向とされる。その方位センサ１１１ｂは、その可動型表示器１０４の画像表示面の向きを、その画像表示面の向きが基準方向に対してなす角度に対応する検知信号として出力する。その方位センサ１１１ｂは第１実施形態と同様のものを用いることができる。
【００４０】
その方位センサ１１１ｂから出力される検知信号は、上記信号処理回路１２３ａ、インターフェイス１２３ｃを介してコンピュータ１０２に入力される。コンピュータ１０２は、上記ＯＮ‐ＯＦＦスイッチ１１１ｄの接点が開き状態から閉じ状態になった時の方位センサ１１１ｂの検知信号、すなわち基準方向の検知信号が入力されると、上記各プログラムに含まれる画像データを、そのインターフェイス１２３ｃ、信号処理回路１２３ａを介してメモリ１２３ｂに、その基準方向に対応付けて記憶させる。
【００４１】
上記変更スイッチ１１１ｄは、本実施形態では常開の押しボタンスイッチとされ、上記ＯＮ‐ＯＦＦスイッチ１１１ｄの接点を閉じた状態で、この変更スイッチ１１１ｃの接点を閉じることで、上記信号処理回路１２３ａは変更信号を出力する。その変更信号はインターフェイス１２３ｃを介してコンピュータ１０２に入力される。そのＯＮ‐ＯＦＦスイッチ１１１ｄの接点を開いた状態では、その変更信号は出力されない。
【００４２】
そのコンピュータ１０２は、可動型表示器１０４の画像表示面の向きに対応付けられて記憶される画像データを、そのＯＮ‐ＯＦＦスイッチ１１１ｄの接点が閉じられている時は、その可動型表示器１０４に出力する。そのＯＮ‐ＯＦＦスイッチ１１１ｄの接点を開いた状態では、画像データは可動型表示器１０４に出力されない。その可動型表示器１０４は、画像データが送られると、その画像データに対応する画像を液晶パネル１１０ｂにより表示する。この液晶パネル１１０ｂにより表示される画像は上記レンズ系１１０ｃを介して観察者６に視認される。
【００４３】
そのコンピュータ１０２は、その画像データと変更信号の出力時における可動型表示器１０４の画像表示面の向きの変化に対応して、その可動型表示器１０４に出力中の画像データに対応付けられてメモリ１２３ｂに記憶される画像表示面の向きを変化させる。これにより、その変更信号を出力させたままで可動型表示器１０４の画像表示面の向きを変化させ、しかる後に変更信号の出力を解除すると、その画像データは、その出力解除時における画像表示面の向きに対応付けられて記憶される。
【００４４】
上記第２実施形態の構成によれば、可動型表示器１０４の画像表示面を任意の一方向を向けている状態でＯＮ‐ＯＦＦスイッチ１１１ｄの接点を閉じると、コンピュータ１０２から出力される画像データに対応する画像が可動型表示器１０４により表示され、その画像表示面の向きと画像データとが対応付けられてメモリ１２３ｂに記憶される。その一方向を向く可動型表示器１０４の画像表示面に画像を表示している時に、変更信号を出力したままで観察者６が頭部を動かすことで画像表示面の向きを変化させると、その表示されている画像に対応する画像データに対応付けて記憶される画像表示面の向きも同様に変化する。これにより、その画像は、例えば図３において実線１３０で示す位置から破線１３１で示す位置に、可動型表示器１０４の画像表示面の向きの変化に対応して変位する。しかる後に、その変更信号の出力を解除すると、その画像データは、その変更信号の出力解除時における画像表示面の向きに対応付けられて記憶される。その変更信号を出力しなければ、その画像データに対応付けられて記憶される画像表示面の向きにおいてのみ、その画像データに対応する画像を視認でき、頭部を動かして可動型表示器１０４の画像表示面の向きを変化させると、その画像は観察者６の視野から外れる。これにより、任意方向を向く画像表示面に画像を表示でき、また、その画像表示面が一方向を向いている時と、別の方向を向いている時とで、互いに異なる画像を表示でき、観察者６は空間に貼り付けられたような各画像を頭部を動かすだけで視認できる。例えば、一方向を向く時はワードプロセッサ用プログラムに対応する画像を視認し、別方向を向く時は描画用プログラムに対応する画像を視認することが可能になり、観察者６は自分の操作したい対象のプログラムに対応する画像を視認しながら作業を行い、各画像の内容を、対応するプログラムの進行状況に合わせて変化させることができる。
【００４５】
なお、本発明は上記実施形態に限定されない。例えば、メモリ２３ｂ、１２３ｂに記憶される画像データは、コンピュータ２、１０２から出力される全ての画像データである必要はなく、基準方向以外を向く可動型表示器４、１０４に出力される画像データのみを記憶するようにし、基準方向を向く可動型表示器４、１０４に出力される画像データはコンピュータ２、１０２自体の内蔵メモリに記憶してもよい。また、そのようなメモリ２３ｂ、１２３ｂを設けず、コンピュータ２、１０２の内蔵メモリを代用するようにしてもよい。
【００４６】
【発明の効果】
本発明によれば、大きな画面の表示器を用いることなく、多数の画像を同時に表示することができ、コンピュータにより多くのタスク処理を効率良く行うのに貢献でき、省スペース化を図ることのできる表示システムを提供できる。
【図面の簡単な説明】
【図１】本発明の第１実施形態の画像表示システムの使用方法の説明図
【図２】本発明の第１実施形態の画像表示システムの構成説明図
【図３】本発明の第２実施形態の画像表示システムの使用方法の説明図
【図４】本発明の第２実施形態の画像表示システムの構成説明図
【符号の説明】
２、１０２  コンピュータ
３  基準表示器
４、１０４  可動型表示器
１１ｂ、１１１ｂ  方位センサ
１１ｃ、１１１ｃ  変更スイッチ
１３  コンバイナ
２３ａ、１２３ａ  信号処理回路
２３ｂ、１２３ｂ  メモリ
１０３  保持体
【図１】
0003928211.tif 000002
【図２】
0003928211.tif 000003
【図３】
0003928211.tif 000004
【図４】
0003928211.tif 000005